(57)【要約】      （修正有）【課題】立体的な装飾効果や装飾の多様性を高めた加飾シートの提供。【解決手段】透光性を有するシート本体１０の後面側に着色層５２と厚盛り部５６を備え、厚盛り部５６の少なくとも一部は着色層５２よりも小さな微細厚盛り部分５５が集合してなり、少なくとも複数の微細厚盛り部分５５の後面には金属的反射層５７が配置されて金属的凹曲反射面５９が構成され、前方から見た際、着色層５２の中に、複数の微細厚盛り部分５５の金属的凹曲反射面５９からの反射光が視認される、加飾シート。【選択図】図１
2020199671.tif 000002
【特許請求の範囲】
【請求項１】
透光性を有するシート本体と、前記シート本体の後面側に配置された金属的反射層とを備えた加飾シートであって、
前記シート本体の後面側に、配置された着色層と厚盛り部とを備え、
前記着色層は、前面側から見た際に、前記加飾シートに色彩を与えると共に文字、図形、模様などの視覚的表現をなすものであり、
前記厚盛り部は、前面側から見た際に、前記加飾シートに立体的な装飾効果を与えるものであり、
前記金属的反射層は、前記加飾シートの少なくとも一部に配置され、
前記厚盛り部は、前記シート本体の厚さ方向の断面において、後方に向かって突出しており、且つ、前記厚盛り部の周縁が湾曲部をなし、
前記厚盛り部の少なくとも一部の前記湾曲部の後面に前記金属的反射層が配置されることによって、金属的凹曲反射面が構成され、
前記加飾シートを前方から見た際、前記金属的凹曲反射面からの反射光を視認できるように構成された加飾シートにおいて、
前記厚盛り部の少なくとも一部は細密厚盛り部であり、
前記細密厚盛り部は、その前面側の前記着色層よりも小さな微細厚盛り部分が集合した部分であり、
前記金属的反射層が少なくとも複数の前記微細厚盛り部分の後面に配置され、少なくとも複数の前記微細厚盛り部分に前記金属的凹曲反射面が設けられ、
前記加飾シートを前方から見た際、前記細密厚盛り部の前面側の前記着色層の中に、複数の前記微細厚盛り部分における前記金属的凹曲反射面からの反射光が視認されるように構成されたことを特徴とする加飾シート。
【請求項２】
透光性を有するシート本体と、前記シート本体の後面側に配置された金属的反射層とを備えた加飾シートであって、
前記シート本体の後面側に、配置された着色層と厚盛り部とを備え、
前記着色層は、前面側から見た際に、前記加飾シートに色彩を与えると共に文字、図形、模様などの視覚的表現をなすものであり、
前記厚盛り部は、前面側から見た際に、前記加飾シートに立体的な装飾効果を与えるものであり、
前記金属的反射層は、前記加飾シートの少なくとも一部に配置され、
前記厚盛り部は、前記シート本体の厚さ方向の断面において、後方に向かって突出しており、且つ、前記厚盛り部の周縁が湾曲部をなし、
前記厚盛り部の少なくとも一部の前記湾曲部の後面に前記金属的反射層が配置されることによって、金属的凹曲反射面が構成され、
前記加飾シートを前方から見た際、前記金属的凹曲反射面からの反射光を視認できるように構成された加飾シートにおいて、
前記厚盛り部の少なくとも一部は細密厚盛り部であり、
前記細密厚盛り部は、その前面側の前記着色層よりも小さな点状又は線状の細かな微細厚盛り部分が集合した部分であり、
前記金属的反射層が少なくとも複数の前記微細厚盛り部分の後面に配置され、少なくとも複数の前記微細厚盛り部分に前記金属的凹曲反射面が設けられ、
前記細密厚盛り部は、点状又は線状の微細厚盛り部分が、１平方センチメートル当たり３個以上存在するものであることを特徴とする加飾シート。
【請求項３】
前記着色層と前記細密厚盛り部が、錯視、モアレ又は干渉縞が生じる図形を構成していることを特徴とする請求項1又は２に記載の加飾シート。
【請求項４】
前記細密厚盛り部とその前面側に重ねられた前記着色層とは、平面視においてずれが生じており、
平面視において下記の１）〜４）の部分が存在することを特徴とする請求項１〜３の何かに記載の加飾シート。
１）一致部分：前記着色層と前記厚盛り部と前記金属的反射層とが一致した部分
２）平面着色部分：前記着色層のみで前記厚盛り部と前記金属的反射層とが存在しない部分
３）無着色金属反射部分：前記厚盛り部と前記金属的反射層のみで前記着色層が存在しない部分
４）無着色非反射部分：前記着色層、前記厚盛り部及び前記金属的反射層が存在しない部分。
【請求項５】
前記細密厚盛り部は線状の微細厚盛り部分の集合であり、
前記細密厚盛り部の前面側に重ねられた前記着色層は、線分の集合であり、
前記線状の微細厚盛り部分と前記着色層の前記線分とは平面視において交差していることを特徴とする請求項1〜４の何かに記載の加飾シート。
【請求項６】
前記細密厚盛り部は、前記微細厚盛り部分同士が隙間を隔てて配列され、前記隙間が１mm以内の微細な隙間であることを特徴とする請求項１〜５の何かに記載の加飾シート。
【請求項７】
前記シート本体の後面側であって、平面視において少なくとも前記微細厚盛り部分同士の間の部分に着色インキによる後面側着色層が存在することを特徴とする請求項１〜６の何かに記載の加飾シート。
【請求項８】
請求項１〜７の何れかに記載の加飾シートと、その後方側に配置される後方部材とを備え、
前方から見た際、前記加飾シートが視認される位置に配置されたことを特徴とする加飾シートを備えた加飾品。
【発明の詳細な説明】
【技術分野】
【０００１】
本発明は、高度な装飾性を備えた加飾シートと、この加飾シートを備えた加飾品に関するものである。
【背景技術】
【０００２】
装飾性を備えたシートについては、種々の提案がされている。
例えば、特許文献１は本願出願人の提案に係るものであって、加飾樹脂シートの前面に突出する加飾用凸部を備えた加飾樹脂シートを備えた成形品が開示され、立体屈曲面を備えた加飾用凸部全体の金属的反射効果により立体的な装飾効果を高めた加飾樹脂シートを備えた成形品が提案された。
また特許文献２も、本願出願人の提案に係るものであって、加飾樹脂シートの後面に突出する厚盛り部を備えた加飾シートが開示され、金属的凹曲反射面を備えたシートの金属的反射効果により立体的な装飾効果を高める技術が提案された。
【先行技術文献】
【特許文献】
【０００３】
【特許文献１】特許第６１２２５６３号公報
【特許文献２】特許第６４０９１５３号公報
【発明の概要】
【発明が解決しようとする課題】
【０００４】
本発明は、特許文献１や２の技術を利用しながら、加飾シートの装飾性を高めたり装飾の多様性を高めたりすることを課題とする。
【課題を解決するための手段】
【０００５】
本発明は、透光性を有するシート本体と、前記シート本体の後面側に配置された金属的反射層とを備えた加飾シートを改良するものである。
本発明の加飾シートにあっては、前記シート本体の後面側には、着色層と厚盛り部とが配置されている。前記着色層は、前面側から見た際に、前記加飾シートに色彩を与えると共に文字、図形、模様などの視覚的表現をなすものである。また、前記厚盛り部は、前面側から見た際に、前記加飾シートに立体的な装飾効果を与えるものである。
前記金属的反射層は、前記加飾シートの少なくとも一部に配置される。前記厚盛り部は、前記シート本体の厚さ方向の断面において、後方に向かって突出しており、且つ、前記厚盛り部の周縁が湾曲部をなすものである。前記厚盛り部の少なくとも一部の前記湾曲部の後面に前記金属的反射層が配置される。これによって、金属的凹曲反射面が構成されて、前記加飾シートを前方から見た際、前記金属的凹曲反射面からの反射光を視認できる構成されたものである。
特に本発明の加飾シートにあっては、前記厚盛り部の少なくとも一部は細密厚盛り部であり、前記細密厚盛り部は、その前面側に配置された前記着色層よりも小さな微細厚盛り部分が集合した部分である。前記金属的反射層が少なくとも複数の前記微細厚盛り部分の後面に配置され、少なくとも複数の前記微細厚盛り部分に前記金属的凹曲反射面が設けられる。これによって、前記加飾シートを前方から見た際、前記細密厚盛り部の前面側の前記着色層の中に、複数の前記微細厚盛り部分における前記金属的凹曲反射面からの反射光が視認されるように構成されることができる。その結果、前記着色層が単一の平面的な着色であったとしても、複数の前記微細厚盛り部分による前記金属的凹曲反射面からの反射光が視認されることによって、輝きのある微細な立体模様を形成することができ、立体的な装飾効果や装飾の多様性を高めた加飾シートを提供することができる。
【０００６】
また本発明にあっては、前記厚盛り部の少なくとも一部は細密厚盛り部であり、前記細密厚盛り部は、点状又は線状の微細厚盛り部分が、１平方センチメートル当たり３個以上存在するものであることを特徴とするものを提供する。
さらに本発明にあっては、前記着色層と前記細密厚盛り部との組み合わせによって多彩な立体表現が可能であり、例えば前記着色層とその下に配置される前記細密厚盛り部とによって、シート本体の前面側から見た際に、錯視、モアレ又は干渉縞が生じる図形を構成しているものとして実施することもできる。例えば細かな線状の模様の前記着色層と、細かな線状の凹凸模様の前記細密厚盛り部とを組み合わせるとそれぞれ単独の模様では表現できないような錯視、モアレ又は干渉縞が、両者の細かな線状模様の相互作用によって生じるようにすることができる。
【０００７】
またさらに、本発明にあっては、前記細密厚盛り部とその前面側に重ねられた前記着色層は、平面視においてずれが生じており、平面視において下記の１）〜４）の部分が存在するものとして実施することもできる。
１）一致部分：前記着色層と前記厚盛り部と前記金属的反射層とが一致した部分
２）平面着色部分：前記着色層のみで前記厚盛り部と前記金属的反射層とが存在しない部分
３）無着色金属反射部分：前記厚盛り部と前記金属的反射層のみで前記着色層が存在しない部分
４）無着色非反射部分：前記着色層、前記厚盛り部及び前記金属的反射層が存在しない部分。
なお、加飾シートは、その最後面に透明または着色された調整層を配置して実施することができるものであり、着色された調整層を備える場合は、４）無着色非反射部分については調整層の色彩が見えることになる。
【０００８】
また本発明は、前記細密厚盛り部が線状の微細厚盛り部分の集合であり、前記細密厚盛り部の前面側に重ねられた前記着色層が線分の集合であるものとし、前記線状の微細厚盛り部分と前記着色層の前記線分とは平面視において交差しているものとして実施することもできる。これによって、平面視において上記の１）〜４）の部分が存在するものとなる。
【０００９】
前記細密厚盛り部は、前記微細厚盛り部分同士が隙間を隔てて配列され、例えば、前記隙間は１mm以内の微細な隙間として実施することができる。
また本発明は、前記シート本体の後面側であって、平面視において前記微細厚盛り部分同士の間の部分に着色インキによる後面側着色層が存在するものとして、実施することもできる。
さらに本発明は、前記の加飾シートと、その後方側に配置される後方部材とを備え、前方から見た際、前記加飾シートが視認される位置に配置されたことを特徴とする加飾品を提供するものである。
【発明の効果】
【００１０】
本発明は、立体的な装飾効果や装飾の多様性を高めた加飾シートと、加飾シートを備えた加飾品とを提供することができたものである。
【図面の簡単な説明】
【００１１】
【図１】（Ａ）は本発明の一実施形態に係る加飾シートの要部拡大平面図であり、（Ｂ）は同中央横断面図であり、（Ｃ）は従来の加飾シートの要部拡大平面図であり、（Ｄ）は同中央横断面図である。
【図２】（Ａ）は本発明の他の実施形態に係る加飾シートの要部拡大横断面図であり、（Ｂ）は本発明のさらに他の実施形態に係る加飾シートの要部拡大横断面図であり、（Ｃ）はこれらの実施の形態に適用できる着色層の平面図であり、（Ｄ）はこれらの実施の形態に適用できる厚盛り部及び金属的反射層の平面図であり、（Ｅ）はこれらの実施の形態に適用できる着色層と、厚盛り部及び金属的反射層とを組み合わせた状態の平面図であり、（Ｆ）は図（Ｅ）の要部拡大図である。
【図３】（Ａ）は本発明の実施形態に適用できる着色層の一例を示す平面図であり、（Ｂ）は同実施の形態に適用できる厚盛り部及び金属的反射層の一例を示す平面図であり、（Ｃ）は同実施の形態に係る加飾シートの一例を示す要部拡大平面図である。
【図４】（Ａ）〜（Ｄ）はそれぞれ本発明の実施形態に適用することができる着色層と、厚盛り部及び金属的反射層との組み合わせの具体例を示す平面図である。
【図５】（Ａ）は本発明の実施形態に適用できる加飾シートにおける着色層の一例を示す平面図であり、（Ｂ）は同実施の形態に適用できる厚盛り部及び金属的反射層の一例を示す平面図であり、（Ｃ）は同実施の形態に適用できる後面側着色層の一例を示す平面図であり、（Ｄ）は同実施形態に係る加飾シートの一例を示す平面図であり、（Ｅ）は同実施形態に係る加飾シートの一例を示す要部拡大平面図であり、（Ｆ）は同実施形態に係る加飾シートをさらに拡大した平面図である。
【図６】本発明の実施形態に適用することができる厚盛り部及び金属的反射層の具体例を示す平面図である。
【図７】本発明の実施形態に適用することができる着色層の具体例を示す平面図である。
【図８】（Ａ）及び（Ｂ）はそれぞれ本発明の実施形態に係る加飾シートの一例を示す写真である。
【図９】（Ａ）及び（Ｂ）はそれぞれ本発明の実施形態に係る加飾シートの一例を示す写真である。
【発明を実施するための形態】
【００１２】
以下、図面に基づき本発明の実施の形態を説明する。なお図１などの各図は、説明のための図であるため各層の厚みなどの寸法を正確に示したものではない。
また、以下、「後面側に」とは「よりも後方に」との意味で用いられるものであり、例えば、「部材Ｘの後面側に部材Ｙを配置する」とは、部材Ｘの後面に部材Ｙを直接配置してもよいし、部材Ｘの後面と部材Ｙの前面との間に第３の部材Ｚを介在させてもよいことを意味する。「前面側に」も同様に「よりも前方に」との意味で用いられる。なおこの実施の形態では、前後方向は、加飾シート５１の厚さ方向と同じ意味で用いられるもので、図１と図２の加飾シート５１の各断面図においては、前面側を上方に後面側を下方に配置して描いている。
【００１３】
（加飾シート５１について）
図１を参照して本発明の一実施形態に係る加飾シート５１を説明する。
図１に示された加飾シート５１は、透光性を有するシート本体１０と、シート本体１０の後面側に配置された透光性を有する着色インキによる着色層５２と、厚盛り部５６及び金属的反射層５７とを備える。ここで、本発明において、「透光性を有する」とは、光を透過する性質を有することをいい、透明や半透明の材質のものを用いることができる。
【００１４】
（シート本体１０について）
透光性を有するシート本体１０には、セルロースアセテートブチレート（ＣＡＢ）樹脂、ポリエチレンテレフタレート樹脂、ポリカーボネート樹脂、アクリル樹脂、オレフィン樹脂、ＡＢＳ樹脂、塩化ビニル樹脂等の合成樹脂製のフィルムやシートのほか、ガラス板等を用いることができ、単層であってもよく、２層以上の積層体であってもよい。シート本体１０の厚さは、特に限定されないが、一般に５０〜５００μｍ、望ましくは１００〜２００μｍ程度とされる。
【００１５】
シート本体１０は、透光性を有するものであって、後述するように、印刷や転写箔の手法等により、着色層５２、厚盛り部５６並びに金属的反射層５７を形成できるものであれば、材質や厚みは問わない。基材として適切な強度や耐久性、印刷特性等を備えていることが望ましい。シート本体１０は、加飾シート５１並びに加飾シート５１を備えた加飾品（図示ぜず）の物性、同加飾品を得るために後方部材（図示ぜず）と成形したり貼り合わせたりするなどの加工方法に応じて最適なものを選択することができる。
【００１６】
（着色層５２について）
透光性を有する着色インキによる着色層５２は、シート本体１０の後面側に配置される。また、着色層５２は、平面状のシート本体１０に沿って、平面状に配置される。透光性を有する着色インキには、色を有しかつ透光性を有する印刷用のインキを用い、無色透明のインキを含んでもよい。着色層５２の厚みは、１〜２０μｍ程度の範囲が好ましいものであるが、適宜変更して実施し得る。着色層５２は、加飾シート５１の前面側に色彩を与えると共に文字、図形、模様などの視覚的表現をなすもので、従来の印刷技術の適用により1回または複数回の印刷が施されることによってモノクロームまたは多色の印刷層による着色層５２が形成される。
【００１７】
着色層５２は、後述する厚盛り部５６が後面側に配置されていない第１着色領域５３（図２（Ａ）（Ｂ）参照）と、厚盛り部５６が後面側に配置されている第２着色領域５４とを備えてもよく、第１着色領域５３と第２着色領域５４とは、色相、明度、彩度のうち少なくとも一種が異なる違った色に着色されていてもよい。第１着色領域５３と第２着色領域５４も含め着色層５２は一色に限らず複数色を用いてもよい。
【００１８】
着色層５２は、透光性を有する着色インキを用いて、後述する金属的反射層５７に対して入出力する光を前方の看者に届くようにするものであるが、一部には透光性のないインキを用いることもできるものであり、例えば、装飾効果を高める観点から金属的光沢のある部分とない部分とを混在させたい場合や、看者に見せたくない装置等を隠蔽するために、一部に透光性のないインキを用いることができる。
【００１９】
（厚盛り部５６について）
透光性を有する厚盛り部５６は、着色層５２の少なくとも一部の後面を含む位置に配置され、着色層５２の後面側から後方に突出している。透光性を有する厚盛り部５６は、例えば、エポキシ系樹脂、アクリル系樹脂、ウレタン系樹脂やこれらの混合物又は化合物などの合成樹脂製の厚盛インキによって形成され、透光性を有するものであれば、透明であってもよく、着色インキと同様に顔料などで着色されたものであってもかまわない。
【００２０】
厚盛り部５６は、その厚みや幅が加飾シート５１の装飾効果を左右する大きな要因となるため、厚みは７５μｍ以上であることが好ましく、８０μｍ以上がより好ましい。この厚みは、大きくすればするだけ立体的な装飾効果を高めることはできるが、大きくするに従ってその精度維持や量産が困難になったり、使用できる素材に制限が生じたりするため１５０μｍ以下が適当であり１００μｍ以下がより安定するが、１５０μｍを超える厚みで実施することを妨げるものではない。幅は、シャープな装飾効果を高めるには０．３ｍｍ〜３ｍｍが適当である。ただし、描かれる図形や文字によって決定されるものであるため、大きな面積に金属的反射や立体的な装飾効果を得る場合にはこれに限るものではない。なお、厚盛り部５６の幅は、シート本体１０と接する厚盛り部５６の基端側の幅を指す。
着色層５２と金属的反射層５７のみでは、その装飾効果は平面的に止まるものであるが、厚盛り部５６が配置されることにより、立体的な装飾効果に高めることができる。
【００２１】
（金属的反射層５７について）
金属的反射層５７は、金属箔やホログラム箔などの反射箔を含んでもよく、厚盛り部５６の少なくとも一部の後面に配置される。金属的反射層５７は、鏡面状の反射や金属的光沢を与える。
【００２２】
金属的反射層５７は、転写箔の手法により、金属箔やホログラム箔などの反射箔を転写して形成されるものであることが好ましい。また、金属的反射層５７は、シルク印刷（銀ペーストインキやミラーインキ）やホットスタンプ、蒸着、スパッタリングで実施してもかまわないが、転写箔を用いる方が高い金属的反射の効果が得られる点で有利である。より詳しくは、転写箔は、シルク印刷（銀ペーストインキやミラーインキ）より鏡面性がより高く、シルク印刷には作れないホログラム箔の使用も可能である点で、転写箔を用いる方が有利である。また、転写箔の手法を用いて金属的反射層５７を形成する際、転写用のバインダ層（図示せず）を形成してもよい。バインダ層は、反射箔を定着させるものであればよく、例えば透明なシルクインキで形成することができる。特に、経時変化でバインダ層の割れやクラックを起こさないインキを使用することが適当である。金属的反射層５７の厚みは、適宜変更して実施し得るが、０．０３〜０．０５μｍ程度の範囲が好ましい。
【００２３】
（金属的凹曲反射面５９について）
厚盛り部５６は、上述のとおり、着色層５２の少なくとも一部の後面を含む位置に配置され、着色層５２の後面側から後方に突出している。また、着色層５２の後面側から後方に突出している厚盛り部５６の、少なくともその周縁は、表面張力により、シート本体１０の厚さ方向の断面において、後方に向かって湾曲した凹曲部５８を備える。この凹曲部５８の少なくとも一部の後面に金属的反射層５７が配置され、金属的反射層５７が金属的凹曲反射面５９を構成する。従って、金属的凹曲反射面５９は、シート本体１０の厚さ方向の断面において、後方に向かって湾曲した面となる。
金属的反射層５７は、上述のとおり、凹曲部５８の少なくとも一部の後面に配置すればよく、厚盛り部５６の後面と完全に一致する部分に配置してもよく、凹曲部５８の少なくとも一部の後面と厚盛り部５６に隣接する着色層５２の少なくとも一部の後面に配置しても構わないことは、特許文献２に係る発明と同様である。
【００２４】
加飾シート５１を前方から見た際、金属的凹曲反射面５９からの反射光が視認できるが、金属的反射層５７は着色層５２の後面側から後方に突出した厚盛り部５６の少なくとも一部の後面に配置されることから、金属的凹曲反射面５９からの反射光が奥行き感を持って視認される。
【００２５】
また、金属的反射層５７が凹曲部５８の少なくとも一部の後面に配置されることによって、凹面鏡状の反射面が形成されるものであり、加飾シート５１を前方から見た際、金属的凹曲反射面５９の平面上の位置が変化するに従って、金属的凹曲反射面５９までの深さが変化することから、この変化に応じて金属的凹曲反射面５９から多様な方向に反射した光が視認され、看者の位置の変化により反射光が見える箇所が変化する。
【００２６】
さらに、厚盛り部５６及び金属的反射層５７が後面側に配置された加飾シート５１で着色された金属的反射効果を有する領域と、厚盛り部５６及び金属的反射層５７が後面側に配置されていない加飾シート５１で金属的反射効果を有しない平面的な領域とでは、金属的反射において異なっているものとすることができ、装飾表現に差異が生じる。
【００２７】
また、厚盛り部５６が後面側に配置されていない領域と、厚盛り部５６が後面側に配置された領域とを、色相、明度、彩度のうち少なくとも一種が異なる違った色に着色すると、装飾表現の差異がさらに強調され、立体的な装飾効果をさらに高めることができる。
以上のことから、厚盛り部５６及び金属的反射層５７を上記のように構成することにより、加飾シート５１に新たな装飾効果を発現させることができる。
【００２８】
第２着色領域５４と厚盛り部５６と金属的反射層５７は、第２着色領域５４の後面側に厚盛り部５６が配置され、金属的反射層５７が凹曲部５８の少なくとも一部の後面に配置されていれば、加飾シート５１を前方から見た際、これら三者の外縁（平面視における外周線）は略一致していなくてもよく、平面視においてずれていてもよい。これら三者の外縁が平面視においてずれている例として、金属的反射層５７が凹曲部５８の一部の後面に配置される場合や、第２着色領域５４が厚盛り部５６の基端側の幅を超えて形成される場合が挙げられるが、そのずれ方には種々ある。
【００２９】
加飾シート５１を前方から見た際、これら三者の外縁が略一致していることが望ましく、これら三者の外縁が完全に一致することが最も望ましいものであるが、完全に一致しなくとも加飾シート５１を前方から見た際に、第２着色領域５４のみが金属的反射を伴う光を発していると認識されるものであれば、略一致していると言えるものであり、完全に一致している必要はない。
この場合、より具体的には三者の外縁（外周線）の平面視におけるズレが３ｍｍ以内であることが好ましく、１ｍｍ以内であることがより好ましい。加飾シート５１を前方から見た際、これら三者の外縁が略一致していることにより、第２着色領域５４、厚盛り部５６及び金属的反射層５７の全体が金属的反射効果を備えることができる。
【００３０】
着色層５２、厚盛り部５６及び金属的反射層５７はシート本体１０の後面側に配置する方が好ましいが、加飾シート５１が複数層の積層体の場合には、その層間に配置してもかまわない。なお、着色層５２、厚盛り部５６及び金属的反射層５７は、イラストや写真等の種々の絵柄や文字を加飾シート５１の前面に表示するためのものである。
【００３１】
（調整層について）
なお図示は省略するが、加飾シート５１は、その最後面に調整層（図示せず）を配置してもよい。調整層の色は問わない。透明であってもよく、着色インキと同様に顔料などで着色されたものであってもかまわない。調整層は、粘着剤や接着剤の層とその後面に配置されたポリエチレンテレフタレート樹脂やポリカーボネート樹脂等の樹脂フィルムとから構成される。加飾シート５１を備えた加飾品（図示せず）を形成する場合、加飾シート５１の最後面に調整層を配置することが望ましい。加飾シート５１の最後面に調整層を配置することにより、後方部材の色流れを抑えることができる。調整層の形成には、コーターでの塗布のほか、オフセット印刷やシルク印刷を用いることができる。
【００３２】
この調整層や粘着剤や接着剤は、加飾シート５１の後面の凹凸（加飾シート５１の厚盛り部５６の有無による凹凸）を緩和することもできるものであり、加飾シート５１又は粘着剤や接着剤の後面における凹凸の高さの差を、厚盛り部による凹凸の差よりも小さくすることができるものであり、調整層と、粘着剤や接着剤とを、併用することも可能である。
【００３３】
（表面の平滑性について）
この実施の形態では、加飾シート５１の表面が平滑であるが、さらに表面が別個の平滑なシート（図示せず）を配置するなどしなくてもかまわない。また、後方部材に加飾シート５１を貼り付けて加飾品を形成した場合、経時変化によって、後面の凹凸が表面側の平滑性に影響を与えることも考えられるが、前記のように加飾シート５１の後面の凹凸を緩和させることによって、平滑性の影響の発生を抑制することができる。
この実施の形態に係る加飾シート５１は、１３５℃の高温にも耐え得る耐熱性を有するものなど、素材の選択の自由度が高いものである。
【００３４】
本発明にあっては、厚盛り部５６について、その少なくとも一部が細密厚盛り部５０を備えていることが一つの特徴である。
【００３５】
図１（Ａ）（Ｂ）に示されたように、細密厚盛り部５０は、その前面側の一つの第２着色領域５４よりも小さな微細厚盛り部分５５が複数集合した部分であり、微細厚盛り部分５５は、その形状は特に問わないが点状又は線状の細かなものであることが適当である。
【００３６】
全てのあるいは少なくとも複数の微細厚盛り部分５５の後面には、前記した金属的反射層５７が設けられている。これによって、それぞれの微細厚盛り部分５５の少なくともの周縁は、シート本体１０の厚さ方向の断面において、後方に向かって湾曲した凹曲部５８を備え、この凹曲部５８の少なくとも一部の後面に金属的反射層５７が配置され、金属的反射層５７が金属的凹曲反射面５９を構成する。
これによって、一つの第２着色領域５４の内部において、複数の微細厚盛り部分５５による複数の金属的凹曲反射面５９を配置することができる。その結果第２着色領域５４においては単一の変化のない図形であったとしても、複数の微細厚盛り部分５５によって多数の金属的凹曲反射面５９が配置されるため、複雑な立体感や輝きを加飾シート５１の表面にもたらすことができる。
【００３７】
これに対して、図１（Ｃ）（Ｄ）に示された従来のものは、複数の微細厚盛り部分５５を備えた細密厚盛り部５０がないため、図１（Ａ）（Ｂ）に示されたものに比して単純なものとなっている。もちろん、本発明の実施に際して、図１（Ａ）（Ｂ）に示されたものに加えて、図１（Ｃ）（Ｄ）に示されたものを併用することができるし、これによってより多彩な表現が可能となる。
【００３８】
上記の細密厚盛り部５０は、微細厚盛り部分５５が１平方センチメートル当たり３個以上存在するものであることが望ましい。微細厚盛り部分５５が線状の場合は、１センチメートルの幅において３本以上の線が存在することが好ましく、１本の線の幅が０．３〜０．６mmであることが細密な装飾感を高める上で望ましい。微細厚盛り部分５５が点状の場合は、１平方センチメートル当たり９個以上存在するものであることがより望ましく、１本の点の最大径が１．０〜３．０mmであることが細密な装飾感を高める上で望ましい。
また、微細厚盛り部分５５同士の間隔は１mm以内であることが細密な装飾感を高める上で望ましく、０．３〜０．６mmがより望ましい。
【００３９】
例えば図３に示すように、微小な図形の中に多彩な立体感をもたらすことができる。
具体的には図３（Ａ）にて矢印で示される二重円の着色層５２は、一色で示された二重円の図形であるに止まるが、図３（Ｂ）にて矢印で示された二重円の細密厚盛り部５０は、微細厚盛り部分５５の集合によって構成されたものである結果、図３（Ｃ）にて矢印で示された二重円は、あたかも多くの宝玉によって構成されたものであるかの如く、細密な図形が立体感豊かに表現されたものとなっている。
なお図１に示されるように、微細厚盛り部分５５の形状や大きさは均一である必要はなく、表現する図形によって図３（Ｂ）に示されるように様々なものを用いることができる。
【００４０】
図２は他の実施の形態を示すもので、この例では微細厚盛り部分５５とその前面側に重ねられた第２着色領域５４とが、平面視においてずれが生じているものとして実施したものである。
その結果、図２（Ｅ）（Ｆ）に示すように、平面において次の四つの部分が設けられることになる。
１）一致部分１１：前記着色層と前記厚盛り部と前記金属的反射層とが一致した部分。
２）平面着色部分１２：前記着色層のみで前記厚盛り部と前記金属的反射層とが存在しない部分。
３）無着色金属反射部分１３：前記厚盛り部と前記金属的反射層のみで前記着色層が存在しない部分。
４）無着色非反射部分１４：前記着色層、前記厚盛り部及び前記金属的反射層が存在しない部分。
その結果従来にも増して多彩な表現が可能となる。特に無着色非反射部分１４をあえて設けることによって、一致部分１１、平面着色部分１２、無着色金属反射部分１３の対比がより強調されることになる。
【００４１】
この図２の例では微細厚盛り部５０は複数の線状の微細厚盛り部分５５の集合であり、微細厚盛り部分５５の前面側に重ねられた着色層５２も複数の線分の集合である。この例では微細厚盛り部分５５の方が着色層５２よりも太いものとして実施されているが、逆に着色層５２の方が太いものであっても構わないし、同じ太さであっても構わない。
着色層５２と微細厚盛り部分５５が平面視において交差しているものとすることによって、上記の四つの部分が形成されたものである。
なお図２（Ｂ）に示すように、平面視において微細厚盛り部分５５同士の間の部分に着色インキによる６２を設けて実施することもできる。
また、図４（Ａ）に示すように、着色層５２を線分とし、微細厚盛り部分５５を線分と点との組み合わせとして実施することもできる。
さらに図４（Ｂ）（Ｃ）（Ｄ）に示すように、微細厚盛り部分５５を不定形なドットの集合体として実施することもできる。
【００４２】
図５は、着色層５２を線分とし、微細厚盛り部分５５をドットの集合体と、線分の集合体として実施した例を示すものである。図５（Ａ）は着色層の平面図であり、複数の色の異なる線分が縦の縞模様を構成するように配置されたもので、そのうち白く著された線分は着色が施されていない部分で、この部分には着色インキが存在しない。図５（Ｂ）は厚盛り部及び金属的反射層の平面図であり、中央に配置された斜め帯状のブランク部分と、このブランク部分の左側に配置されたドットの集合体部分と、このブランク部分の右側に配置された傾斜した線分の集合体部分とが３種類の領域を構成する配置されているものである。ブランク部分とドットの間に介在する部分と線分の間に介在する部分は、厚盛り部及び金属的反射層が全く存在していない。図５（Ｃ）は後面側着色層６１の平面図であり、比較的淡い色のインキで全面が均一に着色されている。これらが組み合わされることによって、図５（Ｄ）（Ｅ）（Ｆ）に示すような多彩な表現の加飾シートを得ることができる。
図５（Ａ）では着色層による縦の縞模様が表されていたに止まるが、図５（Ｄ）（Ｅ）（Ｆ）の加飾シートでは、着色層と厚盛り部と金属的反射層とが一致した一致部分１１と、着色層のみで厚盛り部と金属的反射層とが存在しない平面着色部分１２と、厚盛り部と金属的反射層のみで着色層が存在しない無着色金属反射部分１３と、着色層、厚盛り部及び金属的反射層が存在しない無着色非反射部分１４とによって、多彩な細密模様が形成されたものである。
【００４３】
図６は、微細厚盛り部分５５の集合体からなる細密厚盛り部５０の一例を示すものであり、種々のデザインで実施することができる。図７は、着色層５２の一例を示すものであり、種々のデザインで実施することができる。そして両者を組み合わせることによって、多彩なデザインを創出することができる。例えば図８は図７の右上の着色層５２による図形に対して、２種類の金属的反射層５７を配置した例を示すものであり、図８（Ａ）は図６の中段右側の金属的反射層５７を配置し、図８（Ｂ）は図６の上段右側の金属的反射層５７を配置した例を示すものである。このように、金属的反射層５７の形態を変化させるだけで、同じ着色層５２を用いても多彩な表現が可能である。
【００４４】
また細密厚盛り部５０は、点状又は線状の細かな微細厚盛り部分５５の集合によって錯視、モアレ又は干渉縞が生じる図形を構成しているものとすることができる。錯視としては、種々の幾何学的錯視が知られているが、何の錯視をもたらす図形であっても構わないが、立体的な錯視をもたらす図形であることが特に好ましい。幾何学的錯視の一例を示せば、ミュラー・リヤー錯視、ツェルナー錯視、ヘリング錯視、ポンゾ錯視、フィック錯視、ポッゲンドルフ錯視、デルブーフ錯視、オッペル・クント錯視、フレイザー錯視、ミュンスターバーグ錯視、カフェウォール錯視、エビングハウス錯視、ジャストロー図形などを上げることができるし、チェッカーシャドウ錯視であっても構わない。また図９に示すようなモアレ又は干渉縞が生じる図形であっても構わない。
【００４５】
（加飾シート５１の製造）
次に上述の加飾シート５１を製造する方法については、特許文献２に示す方法を採用することができる。
（加飾シート５１を製造する工程の概要：第１の例）
加飾シート５１を製造する工程は、透光性を有するシート本体１０の後面側に透光性を有する着色インキによる着色層５２を形成する着色ステップと、着色層５２の後面側に透光性を有する厚盛り部５６を形成する厚盛りステップと、厚盛り部５６の後面側に金属的反射層５７を形成する装飾ステップとを行うものである。
【００４６】
（着色ステップについて）
着色ステップは、透光性を有する着色インキを、種々の方法で、透光性を有するシート本体１０の後面側に印刷することによって着色層５２を形成する工程である。印刷にはオフセット印刷やシルク印刷やインクジェット印刷を用いることができるが、グラビア印刷等の他の印刷方法を用いることもできる。
【００４７】
この着色層５２の厚みは、オフセット印刷の場合には1μｍ前後、シルク印刷の場合には１０μｍ前後が適当であり、１〜２０μｍ程度の範囲が好ましく4〜２０μｍ程度の範囲がより好ましいものであるが、適宜変更して実施し得る。
また、着色層５２として、厚盛り部５６が後面側に配置されていない第１着色領域５３と、厚盛り部５６が後面側に配置されている第２着色領域５４を形成してもよく、第１着色領域５３と第２着色領域５４とは、色相、明度、彩度のうち少なくとも一種が異なる違った色に着色されてもよい。
【００４８】
（厚盛りステップについて）
厚盛りステップは、着色層５２の少なくとも一部の後面を含む位置に厚盛り部５６を形成する工程である。
厚盛り部５６は、着色層５２と同様に透光性を有する厚盛インキを印刷することによって形成することができるが、他の手法によって形成してもよい。上述のとおり、厚盛り部５６は、その厚み（ｔ）や幅（ｌ）が加飾シート５１の装飾効果を左右する大きな要因となるため、厚み（ｔ）好ましくは７５〜１５０μｍ、より好ましくは８０〜１００μｍ、幅（ｌ）０．３ｍｍ〜３.０ｍｍが適当であるが、これに限るものではない。この厚みを得るために、層厚みの大きなシルクスクリ−ン印刷を行うことが有利である。その際、１回から、５回程度の複数回の印刷を施してもよい。部分的に印刷回数を変えるなどして厚みの異なる複数種類の厚盛り部５６を形成してもよい。他方厚盛り部５６の厚みを同じにすることによって、印刷を施す際の印刷の版を共通して用いることができ生産効率を高めることができる。
【００４９】
（装飾ステップについて）
装飾ステップは、厚盛り部５６の少なくとも一部の後面に金属的反射層５７を形成する工程である。厚盛りステップにて形成された厚盛り部５６は、着色層５２の後面側から後方に突出しており、厚盛り部５６の少なくともその周縁は、表面張力により、シート本体１０の厚さ方向の断面において、後方に向かって湾曲した凹曲部５８を備える。そして、装飾ステップにて、この凹曲部５８の少なくとも一部の後面に金属的反射層５７を形成し、形成された金属的反射層５７が金属的凹曲反射面５９を構成するものである。
【００５０】
金属的反射層５７は、転写箔の手法により、金属箔やホログラム箔などの反射箔を転写して形成されるものであることが好ましい。また、金属的反射層５７は、シルク印刷（銀ペーストインキやミラーインキ）やホットスタンプ、蒸着、スパッタリングで実施してもかまわないが、転写箔を用いる方が高い金属的反射の効果が得られる点で有利である。より詳しくは、転写箔は、シルク印刷（銀ペーストインキやミラーインキ）より鏡面性がより高く、シルク印刷には作れないホログラム箔の使用も可能である点で、転写箔を用いる方が有利である。
【００５１】
また、転写箔の手法を用いて金属的反射層５７を形成する際、転写用のバインダ層（図示せず）を形成してもよい。バインダ層は、反射箔を定着させるものであればよく、例えば透明なシルクインキで形成することができる。特に、経時変化でバインダ層の割れやクラックを起こさないインキを使用することが適当である。
金属的反射層５７の厚みは、適宜変更して実施し得るが、0.３〜0.５μｍ程度の範囲が好ましい。
【００５２】
（加飾シート５１を製造する工程の概要：第２の例）
本願の加飾シート５１を製造する他の製造例は、透光性を有するシート本体１０の後面側に装飾部６０を形成する工程であって、透光性を有する着色インキによる着色層５２を形成する着色ステップと、透光性を有する厚盛インキによる厚盛り部５６を形成する厚盛りステップと、厚盛り部５６の後面側に金属的反射層５７を形成する装飾ステップとを行うものである。
【００５３】
そして、加飾シート５１を製造する工程は、着色ステップ、厚盛りステップ、装飾ステップの順に実施する場合（以下、第１実施手順という）と、厚盛りステップ、着色ステップ、装飾ステップの順に実施する場合（以下、第２実施手順という）がある。
【００５４】
（着色ステップについて）
着色ステップは、透光性を有する着色インキを、種々の方法で、シート本体１０の後面側に印刷することによって着色層５２を形成する工程である。着色ステップにおいて、着色層５２は、前方から見て、厚盛り部５６が存在しない位置にある第１着色領域５３と、厚盛り部５６が存在する位置にある第２着色領域５４とが形成され、第１着色領域５３と第２着色領域５４とは、色相、明度、彩度のうち少なくとも一種が異なる違った色に着色される。
【００５５】
加飾シート５１を製造する工程が第１実施手順で実施された場合、第１着色領域５３、第２着色領域５４ともにシート本体１０の後面側に形成され、第２実施手順で実施された場合、第１着色領域５３はシート本体１０の後面側に形成され、第２着色領域５４はシート本体１０の後面側に形成された厚盛り部５６の後面側に形成される。
着色層５２を形成するための印刷方法や着色層５２の厚みは、本願の第１実施形態と同じであり、説明を省略する。
【００５６】
（厚盛りステップについて）
厚盛りステップは、シート本体１０の後面側に厚盛り部５６を形成する工程である。
【００５７】
加飾シート５１を製造する工程が第２実施手順で実施された場合、厚盛り部５６はシート本体１０の後面側に形成され、第１実施手順で実施された場合、厚盛り部５６はシート本体１０の後面側に形成された第２着色領域５４の後面側に形成される。
厚盛り部５６を形成するための方法や、厚盛り部５６の厚みや幅は、本願の第１実施形態と同じであり、説明を省略する。
【００５８】
（装飾ステップについて）
装飾ステップは、厚盛り部５６の後面側に金属的反射層５７を形成する工程である。金属的反射層５７は前面側からの光を反射するものであり、また、装飾部６０は、着色層５２を透過した金属的反射層５７からの反射光を前方の看者が視認するように構成されることから、金属的反射層５７は、加飾シート５１の最も後面側に形成される。
【００５９】
加飾シート５１を製造する工程が第１実施手順で実施された場合、金属的反射層５７は厚盛り部５６の後面側に形成され、第２実施手順で実施された場合、金属的反射層５７は厚盛り部５６の後面側に形成された第２着色領域５４の後面側に形成される。
金属的反射層５７を形成するための方法や、金属的反射層５７の厚みは、本願の第１実施形態と同じであり、説明を省略する。
【００６０】
転写箔の手法を用いて金属的反射層５７を形成する際、厚盛り部５６の後面側に形成された第２着色領域５４と金属的反射層５７との定着性を確保するために、両者の間に転写用のバインダ層（図示せず）を形成してもよい。バインダ層は、反射箔を定着させるものであればよく、例えば透明のシルクインキで形成することができる。特に、経時変化でバインダ層の割れやクラックを起こさないインキを使用することが適当である。
【００６１】
（加飾シート５１の応用）
加飾シート５１は、それ単独又は他の物品と併用して、種々の利用が可能である。例えば、シート製のパッケージングケースの定法に従って箱体に形成することができる。また、加飾シート５１を他の物品に貼り付けて後方部材６１を形成してもよく、例えば、化粧料容器や石鹸ケースなどの容器の本体や蓋のほか、弾球遊技機の走行面を構成するための表面シートやスロットマシーン遊技機の回転するリール、遊技機（弾球遊技機やスロットマシーン遊技機）のケーシングやエンブレムシートとして用いることができる。
【００６２】
紙やポリエチレンテレフタレート樹脂やポリカーボネート樹脂等の樹脂フィルム等を介在させて、加飾シート５１と後方部材とを貼り付けてもよく、その場合、加飾シート５１の後面側と後方部材の前面側とでは、種類の異なる粘着剤や接着剤を用いてもよい。また、粘着剤や接着剤の代わりに加飾シート５１の後面の凹凸を緩和するための樹脂成分等を含むインクを加飾シート５１の後面に印刷してもよい。
後面側に後方部材を貼り付けた加飾シート５１を前方から見た際、加飾シート５１が視認される位置に配置されており、金属的凹曲反射面５９からの反射光を視認することができ、立体的な装飾効果を奏する。
【００６３】
またインモールド成形やアウトモールド成形によって、加飾シート５１と後方部材とを一体化させることもできる。
【００６４】
本発明に係る加飾シートは、包装容器、アミューズメント機器、広告媒体、自動車部品、文具、日用品、電化製品、モバイル機器、転写シールを初めとして極めて多くの種類の物品の加飾に適用することができる。
【符号の説明】
【００６５】
10  シート本体
11  一致部分
12  平面着色部分
13  無着色金属反射部分
14  無着色非反射部分
50  細密厚盛り部
51  加飾シート
52  着色層
53  着色領域
54  着色領域
55  微細厚盛り部分
56  厚盛り部
57  金属的反射層
58  凹曲部
59  金属的凹曲反射面
60  装飾部
61  後方部材
【図１】
2020199671.tif 000003
【図２】
2020199671.tif 000004
【図３】
2020199671.tif 000005
【図４】
2020199671.tif 000006
【図５】
2020199671.tif 000007
【図６】
2020199671.tif 000008
【図７】
2020199671.tif 000009
【図８】
2020199671.tif 000010
【図９】
2020199671.tif 000011